(57)【要約】      （修正有）【課題】透明なシート材に梱包された状態の証紙等の文字、番号を正確に読み取ることができる遊技機用の識別情報読取検査装置を提供する。【解決手段】遊技機に貼付された証紙を撮像する撮像部１２と、遊技機を梱包しているシート材に、圧縮空気を噴射させる噴射ノズル１３を有する噴射部１４と、撮像部１２により撮像した画像から、証紙の所定の情報を読み取る画像処理部１５と、を備えた遊技機用の識別情報読取検査装置であり、透明なシート材に包装されている遊技機に付された証紙を読み取り検査する際に、シート材に噴射部１４から気体を噴射して、このシート材を平坦に、又は遊技機に密着させて証紙を撮像部１２により鮮明に撮像する。【選択図】図３
2015123264.tif 000002
【特許請求の範囲】
【請求項１】
透明なシート材に包装されている遊技機に付された証紙、マトリックス型二次元コードのような識別情報を、読み取り検査する遊技機用の識別情報読取検査装置であって、
前記遊技機に付された識別情報を撮像する撮像部と、
前記遊技機を梱包している前記シート材に、気体を噴射させる噴射ノズルを有する噴射部と、
前記撮像部により撮像した画像から、前記識別情報の所定の情報を読み取る画像処理部と、を備え、
検査のために前記識別情報を撮像する際に、前記シート材における該識別情報を被覆している位置に前記噴射部から気体を噴射して該シート材を前記識別情報側に当て該識別情報を前記撮像部により撮像し易く構成した、ことを特徴とする遊技機用の識別情報読取検査装置。
【請求項２】
前記撮像部の周囲に、複数の噴射ノズルを有する噴射部を備えた、ことを特徴とする請求項１の遊技機用の識別情報読取検査装置。
【請求項３】
前記噴射部の噴射ノズルは、前記撮像部のレンズの周囲の形状に合わせた形状に成る、ことを特徴とする請求項１の遊技機用の識別情報読取検査装置。
【請求項４】
前記噴射部は、複数の噴射ノズルを前記撮像部のレンズの周囲の形状に合わせて環状に配置した、ことを特徴とする請求項１の遊技機用の識別情報読取検査装置。
【請求項５】
前記撮像部の撮像方向を中心線として、この撮像中心線から先方へ行くに従い広がる方向へ向けて前記噴射部の噴射ノズルをそれぞれ配置した、ことを特徴とする請求項１又は２の遊技機用の識別情報読取検査装置。
【請求項６】
前記撮像部の撮像方向を中心線として、前記噴射部の２個の噴射ノズルを該撮像中心線でそれぞれ反対方向へ向けて配置した、ことを特徴とする請求項１又は２の遊技機用の識別情報読取検査装置。
【請求項７】
前記撮像部の周囲で、前記噴射部の噴射ノズルを撮像中心線を回転中心にして回転させるように設けた、ことを特徴とする請求項１又は２の遊技機用の識別情報読取検査装置。
【請求項８】
透明なシート材に包装されている遊技機に付された証紙、マトリックス型二次元コードのような識別情報を、読み取り検査する遊技機用の識別情報読取検査装置であって、
前記遊技機に付された識別情報を撮像する撮像部と、
前記遊技機を梱包している前記シート材を、前記撮像部側へ密着するように吸引する吸引部と、
前記撮像部により撮像した画像から、前記識別情報の所定の情報を読み取る画像処理部と、を備え、
検査のために前記識別情報を撮像する際に、前記シート材における該識別情報を被覆している位置の該シート材を前記吸引部で吸引して、その部分のシート材を前記撮像部側に密着させて該識別情報を前記撮像部により撮像し易く構成した、ことを特徴とする遊技機用の識別情報読取検査装置。
【請求項９】
前記吸引部は、前記撮像部のレンズを挟むように長方形状の開口を有する吸引口を複数個所に取り付けた、ことを特徴とする請求項８の遊技機用の識別情報読取検査装置。
【請求項１０】
前記吸引部は、前記撮像部のレンズの面領域より引っ込んだ状態に配置した、ことを特徴とする請求項８又は９の遊技機用の識別情報読取検査装置。
【発明の詳細な説明】
【技術分野】
【０００１】
本発明は、パチンコ機、スロットマシン等の遊技機の製造後、更に梱包後において遊技機等に貼付された証紙、出荷票、その他の貼付又は印刷された識別情報を読み取り検査する遊技機用の識別情報読取検査装置に関する。
【背景技術】
【０００２】
従来、パチンコ機、スロットマシン等の遊技機の製造ラインにおいては、製造された遊技機の本体枠、基板ボックス、ＲＯＭ等に、各種遊技機管理団体の検査を受けたことを示す情報や各種管理団体が付した管理番号等が記載されたラベルである証紙等の識別情報を貼付した後、不正改造防止のため遊技機全体をビニール袋に密封するように包装されている。遊技機に関する製品の発送を管理する発送管理システムについて、例えば特許文献１の特開２００３−９３６２３号の「発送管理システム」が提案されている。
【０００３】
ダンボール箱に詰められた遊技機の証紙の文字、番号、マトリックス型二次元コード等の識別情報については、ＣＣＤカメラ、ＣＭＯＳカメラ等で読み取っている。遊技機は汚れ、埃の侵入を防止すると共に、傷が付かないようにビニール袋、その他の透明なシート材に、遊技機全体を密封するように袋詰めされている。
【先行技術文献】
【特許文献】
【０００４】
【特許文献１】特開２００３−９３６２３号公報
【発明の概要】
【発明が解決しようとする課題】
【０００５】
しかし、このビニール袋等の透明なシート材が皺になっていたり、折り目が付いている場合が多く、証紙の文字、番号、マトリックス型二次元コード等の識別情報を正確に読み取ることができないことがあった。また、証紙等の識別情報の面に対してＣＣＤカメラ等の撮像装置の撮像方向に対してシート材が傾斜した状態にあると、光が反射して証紙等の識別情報の文字、番号が読みづらくなることがあった。
【０００６】
本発明は、上述した問題点等を解決するために創案されたものである。すなわち、本発明の目的は、透明なシート材に梱包された状態の証紙等の識別情報の文字、番号を正確に読み取ることができる遊技機用の識別情報読取検査装置を提供することにある。
【課題を解決するための手段】
【０００７】
本発明は、透明なシート材に包装されている遊技機に付された証紙、マトリックス型二次元コードのような識別情報を、読み取り検査する遊技機用の識別情報読取検査装置であって、前記遊技機に付された識別情報を撮像する撮像部と、前記遊技機を梱包している前記シート材に、気体を噴射させる噴射ノズルを有する噴射部と、前記撮像部により撮像した画像から、前記識別情報の所定の情報を読み取る画像処理部と、を備え、検査のために前記識別情報を撮像する際に、前記シート材における該識別情報を被覆している位置に前記噴射部から気体を噴射して該シート材を前記識別情報側に当て該識別情報を前記撮像部により撮像し易く構成した、ことを特徴とする。
【発明の効果】
【０００８】
上記構成の発明では、シート材に密封するように袋詰めされている遊技機に付されている証紙、マトリックス型二次元コード等の識別情報を読み取り検査する際に、噴射部から噴射させた気体が、このシート材を遊技機のガラス板又は証紙等の識別情報そのものに押し当て平坦状に、又は密着させることにより、ガラス板の内側又は外側、遊技機の表面等に付されている識別情報を撮像部で鮮明に撮像することができる。
更に、シート材の表面に、静電気により付着した埃等も容易に除去することもできるため、撮像部による誤読を防止することができる。
【０００９】
噴射部から気体をシート材に当て、このシート材を平坦状にし、又は遊技機に密着させて、証紙等の識別情報を撮像部で撮像する構成であるために、遊技機を梱包しているダンボール箱に開けられた小窓からも気体を噴射して、ダンボール箱内部の遊技機に付された証紙等の識別情報を容易に撮像することができる。
【図面の簡単な説明】
【００１０】
【図１】遊技機用の識別情報読取検査装置によるダンボール箱に梱包された遊技機の検査状態を示す概略説明斜視図である。
【図２】シート材に密封された遊技機をダンボール箱に梱包する状態を示す概略斜視図である。
【図３】実施例１の遊技機用の識別情報読取検査装置を示す概略構成図である。
【図４】撮像部と噴射部の拡大斜視図である。
【図５】噴射部を用いてシート材を平坦にする状態を示す拡大断面図であり、（ａ）は圧縮空気の噴射前の状態、（ｂ）は圧縮空気の噴射中の状態である。
【図６】複数の噴射ノズルを備えた変形例１の噴射部を示す拡大正面図である。
【図７】複数の噴射ノズルを備えた変形例１の噴射部を示す拡大側面図である。
【図８】環状のスリットを開けた変形例２の環状噴射部を示す拡大正面図である。
【図９】環状のスリットを開けた変形例２の環状噴射部を示す拡大側面図である。
【図１０】噴射ノズルが撮像方向中心線から広がる方向へ傾斜した変形例３の噴射部を示す拡大正面図である。
【図１１】噴射ノズルが撮像方向中心線から広がる方向へ傾斜した変形例３の噴射部を示す拡大正面図である。
【図１２】噴射ノズルが撮像方向中心線から背中合わせに傾斜した変形例４の噴射部を示す拡大正面図である。
【図１３】噴射ノズルが撮像方向中心線から背中合わせに傾斜した変形例４の噴射部を示す拡大側面図である。
【図１４】噴射ノズルを撮像部（レンズ）の周囲で回転するように構成した変形例５の噴射部を示す拡大側面図である。
【図１５】噴射ノズルが撮像部（レンズ）の周囲で回転するように構成した変形例５の噴射部を示す拡大正面図である。
【図１６】撮像部に吸引部を備えた実施例２の識別情報読取検査装置を示す拡大側面図である。
【図１７】撮像部に吸引部を備えた実施例２の識別情報読取検査装置を示す拡大正面図である。
【図１８】実施例２の吸引部を用いてシート材をレンズの間近で平坦にしている状態を示す拡大断面図であり、（ａ）は吸引前の状態、（ｂ）は吸引中の状態である。
【図１９】吸引部が撮像部のレンズ、フィルター又はフードの面領域より引っ込んだ状態に配置した変形例１の吸引部を示す拡大側面図である。
【実施例１】
【００１１】
図１は遊技機用の識別情報読取検査装置１によるダンボール箱６に梱包された遊技機２の検査状態を示す概略説明斜視図である。図２はシート材５で密封された遊技機２をダンボール箱６に梱包する状態を示す概略斜視図である。
本発明の遊技機用の識別情報読取検査装置１は、製造ラインから送られてくる完成品の遊技機２を検査する際に利用する装置である。例えば、遊技機２には、その遊技盤３の右下の位置に機械番号及び機種名等が判別できる証紙４やマトリックス型二次元コード等の識別情報が貼付される。その後、遊技機２は、基板等の不正改造の防止と共に、埃が付着しないようにビニール袋等のシート材５に詰め込まれる。このシート材５で密封された状態で、遊技機２は略立方体形状のダンボール箱６に梱包される。  
【００１２】
一般的に、遊技機２に検査済みを意味する証紙４が貼付されると共に、ダンボール箱６の表面には出荷票２１が貼付される。この出荷票２１は、遊技機２の機種名、製造番号、納品先（搬送先）等の出荷情報が印刷されている。この出荷票２１についても、本発明の識別情報読取検査装置１で自動的に読取検査される。
【００１３】
このダンボール箱６に梱包された遊技機２は、その状態でローラ７上で搬送されながら、ダンボール箱６の表面に貼付された出荷票２１と、遊技機２に貼付された証紙４やマトリックス型二次元コード等の識別情報が読み取られる。このときは、ダンボール箱６内部の遊技機２に貼付された証紙４等については、ダンボール箱６に開けられた小窓８から内部の遊技機２に貼付された証紙４等が、ガラス板９を透過して識別情報読取検査装置１により自動的に読取検査される。または、遊技機主部１０のハンドル近くに開けられた検査窓１１を透過して、遊技盤３に貼付された証紙４等については、識別情報読取検査装置１により自動的に読取検査される。
【００１４】
＜識別情報読取検査装置１の概略構成＞
図３は実施例１の遊技機用の識別情報読取検査装置１を示す概略構成図である。図４は撮像部１２と噴射部１４の拡大斜視図である。
実施例１の遊技機用の識別情報読取検査装置１は、遊技機２に貼付された証紙４やマトリックス型二次元コード等の識別情報を撮像する撮像部１２と、遊技機２を梱包しているシート材５に、圧縮空気等の気体を噴射する噴射ノズル１３を有する噴射部１４と、撮像部１２により撮像した画像から、証紙４等の識別情報に係る所定の情報を読み取る画像処理部１５と、この画像処理部１５により画像処理した情報を保存又は加工するコンピュータシステム１６を備えた検査装置である。
【００１５】
＜撮像部１２の構成＞
撮像部１２は、図４に示すように、ＣＣＤカメラ、ＣＭＯＳカメラのような撮像装置である。読みとった画像データは画像処理部１５において処理される。撮像部１２はダンボール箱６の表面に貼付された出荷票２１を撮像する。次にダンボール箱６内の遊技機２に貼付された証紙４等を撮像し、送出されたデータからコンピュータシステム１６により、証紙４、出荷票２１、定格シール又はマトリックス型二次元コード等の識別情報の貼付がなされているか否かの確認を行う。これと同時に、この証紙４、出荷票２１等の識別情報に記載してある機械番号と、定格シールに記載してある機種名とを読み取る。なお、ダンボール箱６の表面の撮像と、その内部の撮像の順番はこれに限定されない。
【００１６】
撮像部１２は、図１に示すように、ダンボール箱６の表面に貼付された出荷票２１と、遊技機２に貼付された証紙４及び定格シールの読み取りが可能な位置に設置される。図示例では、ダンボール箱６に開けられた小窓８の位置にレンズ１７が向けられる高さ位置に撮像部１２を設置した状態を示している。
この撮像部１２は１か所に限定されず、複数か所に設置することができる。また、図示例では、ダンボール箱６の一面側に設置されているが、ダンボール箱６の両面即ちローラ７を挟むようにそれぞれ設置することも可能である。
【００１７】
＜噴射部１４の構成＞
実施例１の識別情報読取検査装置１は、撮像部１２に隣接して噴射部１４を備えている。噴射部１４は小さい孔の噴射ノズル１３を有し、この噴射ノズル１３から気体として圧縮空気を噴射させる。圧縮空気は例えばコンプレッサ１８から供給する。ボンベから噴射させることも可能である。図示例では、噴射部１４の噴射ノズル１３を、撮像部１２のレンズ１７に隣接した状態で取り付けた。これは、遊技機２を梱包しているダンボール箱６に開けられた小窓８が小さい場合でも、この小窓８から圧縮空気をシート材５に容易に噴射してシート材５を平坦状又は遊技機２に密着した状態にするためである。
因みに、ダンボール箱６の表面に貼付された出荷票２１を撮像する際は、シート材５は無いので、この噴射部１４を使用する必要はない。
【００１８】
＜噴射部１４の使用状態＞
図５は噴射部１４を用いてシート材５を平坦にする状態を示す拡大断面図であり、（ａ）は圧縮空気の噴射前の状態、（ｂ）は圧縮空気の噴射中の状態である。
実施例１の識別情報読取検査装置１は、遊技機２に貼付されている証紙４等の識別情報を読み取り検査する際に、図５（ａ）のように、皺又は折れ曲がって鮮明な撮像の邪魔をしているシート材５に、噴射部１４から圧縮空気を噴射する。このときシート材５は、図５（ｂ）のように遊技機２のガラス板９に押し当てられる。シート材５は皺、折り目が伸びて平坦状又は遊技機２に密着した状態になり、ガラス板９の内側に貼付されている証紙４等の識別情報を撮像部１２で鮮明に撮像することができる。
なお、証紙４等の識別情報が、遊技盤３ではなく、外側のガラス板９の表側に貼付されているときも、噴射させた圧縮空気によりシート材５は証紙４等に押し当てられ平坦状又は遊技機２に密着した状態になるので、この証紙４等を撮像部１２で鮮明に撮像することができる。
【００１９】
また、証紙４等がガラス板９以外の遊技機主部１０の表側に貼付されているときも、噴射させた圧縮空気がシート材５を証紙４等に押し当て皺、折り目を伸ばして平坦状又は密着した状態にして、この証紙４等を撮像部１２で鮮明に撮像することができる。
更に、シート材５の表面に、静電気により付着した埃等も容易に除去することもできるため、撮像部１２による誤読を防止することができる。
【００２０】
実施例１の識別情報読取検査装置１について、遊技機２を梱包しているダンボール箱６に開けられた小窓８からも圧縮空気を噴射して、ダンボール箱６内部の遊技機２に貼付された証紙４等を撮像することについて説明した。シート材５に密封するように袋詰めされているが、ダンボール箱６に梱包されていない場合であっても、それに貼付されている証紙４を撮像して読取検査できることは勿論である。
【００２１】
なお、噴射部１４からの圧縮空気の噴射は、撮像部１２の撮像の際の一瞬でよい。長い時間噴射すると、ダンボール箱６内部に噴射された空気は、ダンボール箱６に開けられた持ち手掛け穴２２から排出される程度である（図1、図２参照）。ダンボール箱６の中で圧縮空気の流通が妨げられると却って、シート材５を波打たせるおそれがあるからである。
【００２２】
＜画像処理部１５とコンピュータシステム１６＞  
画像処理部１５は、撮像部１２からの画像情報から証紙４、出荷票２１等の情報の読み取りをすると共に、その前提として証紙４、出荷票２１の有無を判定し、その判定結果は、コンピュータシステム１６に出力する。
【００２３】
コンピュータシステム１６は、撮像部１２から入力されたデータと予め保有していたデータの相互の整合性を調査し、証紙４、出荷票２１、定格シール等において印刷ミスや機種間違え等がないか検査を行う。
また、証紙４と定格シールの少なくともいずれかが貼付されていない場合や、データ相互の整合性がない場合には、エラー表示を行う。また、コンピュータシステム１６は、読み取った機械番号に基づき、その機械番号に対応する台情報、すなわち、納入先、納入台数、機種名、機械番号の各情報を検索する。その結果、ダンボール箱６の表面に貼られた出荷票２１の情報内容と、ダンボール箱６内の遊技機２に貼付された証紙４等の情報内容とが照合される。
【００２４】
＜噴射部１４の変形例１＞
図６は複数の噴射ノズル１３を備えた変形例１の噴射部１４を示す拡大正面図である。図７は複数の噴射ノズル１３を備えた変形例１の噴射部１４を示す拡大側面図である。
１個の撮像部１２には、必ずしも１個の噴射部１４のみを備える必要はなく、撮像部１２の周囲に、複数の噴射ノズル１３を取り付けることができる。なお、変形例１の噴射部１４は、１個の撮像部１２に４個の噴射部１４を取り付けた状態を示しているが、この数値に限定されないことは勿論である。
【００２５】
シート材５で密封するように袋詰めされている遊技機２は、ハンドルのような突出部分や、遊技機２上部のスピーカのある膨出部分といった凹凸がある。その袋詰めしているシート材５に大きな折り目や多数の皺が生じやすい。このようなシート材５の折り目、皺により撮像部１２が証紙４を鮮明に撮像できないことがある。そこで、変形例１の噴射部１４は撮像部１２の周囲に取り付けた複数の噴射部１４の複数の噴射ノズル１３から圧縮空気を、証紙等の周囲に向けてシート材５に効率よく当て、このシート材５を広げるように平坦にすることができる。例えば、シート材５の折り目を広げるように圧縮空気を当てることができる。
【００２６】
＜環状噴射部３１の変形例２＞
図８は環状のスリット３２を開けた変形例２の環状噴射部３１を示す拡大正面図である。図９は環状のスリット３２を開けた変形例２の環状噴射部３１を示す拡大側面図である。
変形例２の環状噴射部３１は、その環状噴射ノズル（スリット３２）を撮像部１２のレンズ１７の周囲の形状に合わせた形状にした。図示例では、撮像部１２のレンズ１７が円形状になるので、これに合わせた環状噴射ノズル（スリット３２）、即ち環状のスリットを形成した構成である。なお、レンズの周囲が略四角形状のときは、略四角形状のスリットを形成する。
【００２７】
この変形例２の環状噴射部３１の環状噴射ノズル（スリット３２）の構成では、撮像部１２の周囲からリング状に圧縮空気を噴射させ、圧縮空気を広範囲に噴射させることができる。そこで、シート材５の多数の皺を伸ばして平坦にすることができ、更にシート材５の折り目も広げるように平坦にすることができる。またはシート材５を遊技機２に密着させることができる。
【００２８】
図示例では、撮像部１２のレンズ１７の周囲に環状のスリットを開けた環状噴射ノズル３２を示している。この変形例２の環状噴射部３１は、完全に繋がった状態でスリットを環状に開けているが、このような構成に限定されない。例えば、複数の円弧状のスリットを環状に配置したものでもよい（図示していない）。更に、この環状のスリットに代えて、多数の噴射ノズルを円形状に配置した構成でもよい（図示していない）。
【００２９】
＜噴射部１４の変形例３＞
図１０は噴射ノズル１３が撮像方向中心線ＣＬから広がる方向へ傾斜した変形例３の噴射部１４を示す拡大正面図である。図１１は噴射ノズル１３が撮像方向中心線ＣＬから広がる方向へ傾斜した変形例３の噴射部１４を示す拡大正面図である。
変形例３の噴射部１４は、撮像部１２の撮像方向を撮像中心線ＣＬとして、この撮像中心線ＣＬから先方へ行くに従い広がる方向へ向けて噴射ノズル１３をそれぞれ配置した。図示例では、１個の撮像部１２に２個の噴射部１４を取り付けた状態を示しているが、４個を取り付けることも可能である。また、撮像中心線ＣＬに対して、５度の角度で噴射ノズル１３を傾斜配置している。この５度の角度に限定されないことは勿論である。
【００３０】
この変形例３の噴射部１４のように、撮像部１２の撮像中心線ＣＬから広がる方向へ傾斜させた状態に２個の噴射ノズル１３を取り付けた構成では、撮像部１２の撮像方向ＣＬから広がる方向へ傾斜させた方向へ圧縮空気を噴射させることにより、シート材５の多数の皺を伸ばして平坦にすることができ、更にシート材５の折り目も広げるように平坦にすることができる。
【００３１】
＜噴射部１４の変形例４＞
図１２は噴射ノズル１３が撮像方向中心線ＣＬから背中合わせに傾斜した変形例４の噴射部１４を示す拡大正面図である。図１３は噴射ノズル１３が撮像方向中心線ＣＬから背中合わせに傾斜した変形例４の噴射部１４を示す拡大側面図である。
変形例４の噴射部１４は、撮像部１２の撮像方向を中心線ＣＬとして、２個の噴射ノズル１３を撮像中心線ＣＬでそれぞれ反対方向へ向けて配置したものである。図示例では、中心線ＣＬに対して、５度の角度で噴射ノズル１３を傾斜配置している。この５度の角度に限定されないことは勿論である。また、１個の撮像部１２に２個の噴射部１４を取り付けた状態を示しているが、４個を取り付けることも可能である。
【００３２】
この変形例４の噴射部１４のように、撮像部１２に２個の噴射ノズル１３を取り付けた構成でも、撮像部１２の撮像中心線ＣＬでそれぞれ反対方向へ傾斜させた方向へ圧縮空気を噴射させることにより、シート材５の多数の皺を伸ばして平坦にすることができ、更にシート材５の折り目も広げるように平坦にすることができる。
【００３３】
＜噴射部１４の変形例５＞
図１４は噴射ノズル１３を撮像部１２（レンズ１７）の周囲で回転するように構成した変形例５の噴射部１４を示す拡大側面図である。図１５は噴射ノズル１３が撮像部１２（レンズ１７）の周囲で回転するように構成した変形例５の噴射部１４を示す拡大正面図である。
この変形例５では撮像部１２の胴部４１に円筒形状の回転体４２を回転自在に取り付け、この回転体４２の周囲に複数の噴射部１４を配置したものである。この回転体４２はモータ、圧縮空気等の駆動器で回転させる方法、又は各噴射部１４の噴射方向を撮像中心線ＣＬ方向に対して傾斜させることで、噴射の際にその反作用で自動的に回転する方法のいずれでもよい。
また図示例では、撮像部１２の周囲に２個の噴射ノズル１３を配置したものであるが、この２個に限定されないことは勿論である。
【００３４】
この変形例５の回転体４２で回転する噴射部１４の構成では、撮像部１２の周囲に広範囲に圧縮空気を噴射させ、圧縮空気を広範囲に噴射させることができる。そこで、シート材５の多数の皺を伸ばして平坦にすることができ、更にシート材５の折り目も広げるように平坦にすることができる。
【実施例２】
【００３５】
図１６は撮像部１２に吸引部５２を備えた実施例２の識別情報読取検査装置１を示す拡大側面図である。図１７は撮像部１２に吸引部５２を備えた実施例２の識別情報読取検査装置１を示す拡大正面図である。図１８は実施例２の吸引部５２を用いてシート材５をレンズ１７の間近で平坦にしている状態を示す拡大断面図であり、（ａ）は吸引前の状態、（ｂ）は吸引中の状態である。
＜吸引部５２の構成＞
実施例２の識別情報読取検査装置１は、実施例１の噴射部１４等に代えて、吸引口５１を有する吸引部５２を備えている。吸引部５２は最低２カ所は必要で、撮像部１２を挟むように取り付ける。この吸引部５２をシート材５に近づけ空気を吸引すると、シート材５の数カ所を引っ張ることにより、シート材５を撮像部１２のレンズ１７、フィルター又はフードに密着させることができる。このシート材５は撮像部１２のレンズ１７の間近においてシート材５が平坦になるので、この撮像部１２で証紙４等を鮮明に撮像することができる。
【００３６】
実施例２の識別情報読取検査装置１は、遊技機２に貼付されている証紙４等の識別情報を読み取り検査する際に、図１８（ａ）のように、皺又は折れ曲がって鮮明な撮像の邪魔をしているシート材５を吸引部５２で撮像部１２側に密着させる。このときシート材５は、図１８（ｂ）のように撮像部１２のレンズ１７、フィルタ又はフードに張り付けられ、皺、折り目が伸びて平坦状になり、証紙４等の識別情報を撮像部１２で鮮明に撮像することができる。このとき吸引部５２の吸引は、シート材５を伸ばすことができる程度の弱い吸引力でよい。
【００３７】
実施例２のような構成であれば、空気の吸引によるので、証紙４位置のシート材５のみを吸い付けることができる。この吸引部５２は図１６、図１７に示すように、２カ所に限定されず、撮像部１２のレンズ１７を囲むように４カ所取り付けることができる。また、撮像部１２のレンズ１７の周囲に環状のスリット状の吸引を開けた吸引部５２にすることができる。更に、複数の円弧状のスリットを環状に配置した吸引部５２にすることができる。何れも撮像部１２を挟むように取り付ければよい。
【００３８】
＜吸引部５２の変形例１＞
図１９は吸引部５２が撮像部１２のレンズ１７、フィルター又はフードの面領域より引っ込んだ状態（図示例では右側）に配置した変形例１の吸引部５２を示す拡大側面図である。
吸引部５２は、必ずしも撮像部１２のレンズ１７、フィルター又はフードの面領域と同じ面に配置する必要はなく（図１６参照）、実施例２では、シート材５をレンズ１７、フィルター又はフードの面で平坦になるようにシート材５の周囲が引っ張られる状態にすればよい。そこで、変形例１の吸引部５２は、吸引部５２が撮像部１２のレンズ１７、フィルター又はフードの面領域より引っ込んだ状態に配置した（図示例では右側）。このように構成することで、撮像部１２のレンズ１７、フィルター又はフードに当たるシート材５を撮像部１２の後方へ引っ張るように吸引部５２が引くので、この引っ張られるシート材５が平坦になりやすくなる。
【００３９】
なお、上述した実施の形態の記載内容に限定されず、例えば次のように実施してもよい。
上記実施の形態では、本発明の識別情報読取検査装置による読取検査の対象になる遊技機として、例えば図柄表示装置を備えたパチンコ機に対して本発明を利用できるが、それ以外のタイプのパチンコ機に利用してもよい。例えば、遊技球転動部や有利口などが設けられた入賞役物装置を備えたパチンコ機や、他の役物を備えたパチンコ機、アレンジボール機、雀球等の遊技機にも、本発明を利用できる。また、受け皿として上皿及び下皿が設けられているのではなく、単一の受け皿が設けられたパチンコ機にも、本発明を利用できる。即ち、機械番号及び機種名等が判別できる証紙やマトリックス型二次元コード等の識別情報が貼付されたパチンコ機が本発明の利用対象になる。
【００４０】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【００４１】
遊技機用の識別情報読取検査装置Ａ
本発明は、パチンコ機、スロットマシン等の遊技機の製造後、更に梱包後において遊技機等に貼付された証紙、出荷票、その他の貼付又は印刷された識別情報を読み取り検査する遊技機用の識別情報読取検査装置に関する。
【００４２】
従来、パチンコ機、スロットマシン等の遊技機の製造ラインにおいては、製造された遊技機の本体枠、基板ボックス、ＲＯＭ等に、各種遊技機管理団体の検査を受けたことを示す情報や各種管理団体が付した管理番号等が記載されたラベルである証紙等の識別情報を貼付した後、不正改造防止のため遊技機全体をビニール袋に密封するように包装されている。遊技機に関する製品の発送を管理する発送管理システムについて、例えば特許文献２の特開２００３−９３６２３号の「発送管理システム」が提案されている。
【００４３】
ダンボール箱に詰められた遊技機の証紙の文字、番号、マトリックス型二次元コード等の識別情報については、ＣＣＤカメラ、ＣＭＯＳカメラ等で読み取っている。遊技機は汚れ、埃の侵入を防止すると共に、傷が付かないようにビニール袋、その他の透明なシート材に、遊技機全体を密封するように袋詰めされている。
【００４４】
【特許文献２】特開２００３−９３６２３号公報
【００４５】
しかし、このビニール袋等の透明なシート材が皺になっていたり、折り目が付いている場合が多く、証紙の文字、番号、マトリックス型二次元コード等の識別情報を正確に読み取ることができないことがあった。また、証紙等の識別情報の面に対してＣＣＤカメラ等の撮像装置の撮像方向に対してシート材が傾斜した状態にあると、光が反射して証紙等の識別情報の文字、番号が読みづらくなることがあった。
【００４６】
本発明は、上述した問題点等を解決するために創案されたものである。すなわち、本発明の目的は、透明なシート材に梱包された状態の証紙等の識別情報の文字、番号を正確に読み取ることができる遊技機用の識別情報読取検査装置を提供することにある。
【００４７】
遊技機用の識別情報読取検査装置Ａ１は、透明なシート材に包装されている遊技機に付された証紙、マトリックス型二次元コードのような識別情報を、読み取り検査する遊技機用の識別情報読取検査装置であって、
前記遊技機に付された識別情報を撮像する撮像部と、
前記遊技機を梱包している前記シート材に、気体を噴射させる噴射ノズルを有する噴射部と、
前記撮像部により撮像した画像から、前記識別情報の所定の情報を読み取る画像処理部と、を備え、
検査のために前記識別情報を撮像する際に、前記シート材における該識別情報を被覆している位置に前記噴射部から気体を噴射して該シート材を前記識別情報側に当て該識別情報を前記撮像部により撮像し易く構成した、ことを特徴とする遊技機用の識別情報読取検査装置。
【００４８】
遊技機用の識別情報読取検査装置Ａ１では、シート材に密封するように袋詰めされている遊技機に付されている証紙、マトリックス型二次元コード等の識別情報を読み取り検査する際に、噴射部から噴射させた気体が、このシート材を遊技機のガラス板又は証紙等の識別情報そのものに押し当て平坦状に、又は遊技機に密着させることにより、ガラス板の内側又は外側、遊技機の表面等に付されている識別情報を撮像部で鮮明に撮像することができる。
更に、シート材の表面に、静電気により付着した埃等も容易に除去することもできるため、撮像部による誤読を防止することができる。
【００４９】
噴射部から気体をシート材に当て、このシート材を平坦状に、又は遊技機に密着させて、証紙等の識別情報を撮像部で撮像する構成であるために、遊技機を梱包しているダンボール箱に開けられた小窓からも気体を噴射して、ダンボール箱内部の遊技機に付された証紙等の識別情報を容易に撮像することができる。
【００５０】
遊技機用の識別情報読取検査装置Ａ２は、前記撮像部の周囲に、複数の噴射ノズルを有する噴射部を備えた、ことを特徴とする識別情報読取検査装置Ａ１の遊技機用の識別情報読取検査装置。
遊技機全体をシート材に密封するように袋詰めされている場合、ハンドルのような突出部分や、遊技機上部のスピーカのある膨出部分といった凹凸がある遊技機では、袋詰めしているシート材５に大きな折り目や多数の皺が生じやすい。このようなシート材の折り目、皺により撮像部が証紙を鮮明に撮像できないことがある。
そこで、遊技機用の識別情報読取検査装置Ａ２では、撮像部の周囲に取り付けた複数の噴射部の複数の噴射ノズルから圧縮空気を、証紙等の周囲に向けてシート材に効率よく当て、このシート材を広げるように平坦にすることができる。例えば、シート材の折り目を広げるように圧縮空気を当てることができる。
【００５１】
遊技機用の識別情報読取検査装置Ａ３は、前記噴射部の噴射ノズルは、前記撮像部のレンズの周囲の形状に合わせた形状に成る、ことを特徴とする識別情報読取検査装置Ａ１の遊技機用の識別情報読取検査装置。
遊技機用の識別情報読取検査装置Ａ４は、前記噴射部は、複数の噴射ノズルを前記撮像部のレンズの周囲の形状に合わせて環状に配置した、ことを特徴とする識別情報読取検査装置Ａ１の遊技機用の識別情報読取検査装置。
【００５２】
識別情報読取検査装置Ａ３、Ａ４では、撮像部のレンズの周囲の形状に合わせた環状に圧縮空気を噴射させることにより、圧縮空気を広範囲に噴射させることができる。そこで、シート材の多数の皺を伸ばして平坦にすることができ、更にシート材の折り目も広げるように平坦にすることができる。
【００５３】
遊技機用の識別情報読取検査装置５は、前記撮像部の撮像方向を中心線として、この撮像中心線から先方へ行くに従い広がる方向へ向けて前記噴射部の噴射ノズルをそれぞれ配置した、ことを特徴とする識別情報読取検査装置Ａ１又はＡ２の遊技機用の識別情報読取検査装置。
識別情報読取検査装置Ａ５では、撮像部の撮像方向から広がる方向へ傾斜させた方向へ圧縮空気を噴射させることにより、シート材の多数の皺を伸ばして平坦にすることができ、更にシート材の折り目も広げるように平坦にすることができる。
【００５４】
遊技機用の識別情報読取検査装置Ａ６は、前記撮像部の撮像方向を中心線として、前記噴射部の２個の噴射ノズルを該撮像中心線でそれぞれ反対方向へ向けて配置した、ことを特徴とする識別情報読取検査装置Ａ１又はＡ２の遊技機用の識別情報読取検査装置。
識別情報読取検査装置Ａ６では、撮像部に２個の噴射ノズルを取り付けた構成でも、撮像部の撮像中心線でそれぞれ反対方向へ傾斜させた方向へ圧縮空気を噴射させることにより、シート材の多数の皺を伸ばして平坦にすることができ、更にシート材の折り目も広げるように平坦にすることができる。
【００５５】
遊技機用の識別情報読取検査装置Ａ７は、前記撮像部の周囲で、前記噴射部の噴射ノズルを撮像中心線を回転中心にして回転させるように設けた、ことを特徴とする識別情報読取検査装置Ａ１又はＡ２の遊技機用の識別情報読取検査装置。
遊技機用の識別情報読取検査装置Ａ７では、撮像部の周囲に広範囲に気体を噴射させ、気体を広範囲に噴射させることができるので、シート材の多数の皺を伸ばして平坦にすることができ、更にシート材の折り目も広げるように平坦にすることができる。
【００５６】
遊技機用の識別情報読取検査装置Ａ８は、透明なシート材に包装されている遊技機に付された証紙、マトリックス型二次元コードのような識別情報を、読み取り検査する遊技機用の識別情報読取検査装置であって、
前記遊技機に付された識別情報を撮像する撮像部と、
前記遊技機を梱包している前記シート材を、前記撮像部側へ密着するように吸引する吸引部と、
前記撮像部により撮像した画像から、前記識別情報の所定の情報を読み取る画像処理部と、を備え、
検査のために前記識別情報を撮像する際に、前記シート材における該識別情報を被覆している位置の該シート材を前記吸引部で吸引して、その部分のシート材を前記撮像部側に密着させて該識別情報を前記撮像部により撮像し易く構成した、ことを特徴とする遊技機用の識別情報読取検査装置。
【００５７】
遊技機用の識別情報読取検査装置Ａ８では、吸引部をシート材に近づけ空気を吸引すると、シート材の数カ所を引っ張ることにより、シート材を撮像部のレンズ側に密着させることができる。このシート材は撮像部のレンズの間近において平坦になるので、この撮像部で証紙等を鮮明に撮像することができる。
【００５８】
遊技機用の識別情報読取検査装置Ａ９は、前記吸引部は、前記撮像部のレンズを挟むように長方形状の開口を有する吸引口を複数個所に取り付けた、ことを特徴とする識別情報読取検査装置Ａ８の遊技機用の識別情報読取検査装置。
遊技機用の識別情報読取検査装置Ａ１０は、前記吸引部は、前記撮像部のレンズの面領域より引っ込んだ状態に配置した、ことを特徴とする識別情報読取検査装置Ａ８又はＡ９の遊技機用の識別情報読取検査装置。
【００５９】
因みに、特徴Ａ１乃至特徴Ａ１０のいずれか１つ又はそれらの組み合わせを上記特徴Ａ１乃至Ａ１０に適用してもよい。
【００６０】
以下に、本発明の遊技機用の識別情報読取検査装置の読取検査対象になり得る遊技機の基本構成を示す。
【００６１】
パチンコ遊技機：遊技者が操作する操作手段（遊技球発射ハンドル）と、その操作手段の操作に基づいて遊技球を発射する遊技球発射手段（遊技球発射機構のソレノイド）と、その発射された遊技球を所定の遊技領域に導く球通路と、遊技領域内に配置された各遊技部品（釘等）とを備え、それら各遊技部品のうち所定の通過部（作動口等）を遊技球が通過した場合に遊技者に特典を付与する遊技機。
【００６２】
前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【００６３】
前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【００６４】
前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【００６５】
本発明の遊技機用の識別情報読取検査装置は、主にパチンコ機の遊技機の識別情報読取検査に利用することができるが、証紙等の識別情報を付された遊技機であれば、パチンコ機以外の様々な遊技機、その他の機器、装置に広く利用することができる。
【符号の説明】
【００６６】
１  遊技機用の識別情報読取検査装置
２  遊技機
３  遊技盤
４  証紙（識別情報）
５  シート材
６  ダンボール箱
７  ローラ
８  小窓
９  ガラス板
１０  遊技機主部
１１  検査窓
１２  撮像部
１３  噴射ノズル
１４  噴射部
１５  画像処理部
１６  コンピュータシステム
１７  レンズ
１８  コンプレッサ
２１  出荷票
５１  吸引口
５２  吸引部
ＣＬ  撮像中心線
【図１】
2015123264.tif 000003
【図２】
2015123264.tif 000004
【図３】
2015123264.tif 000005
【図４】
2015123264.tif 000006
【図５】
2015123264.tif 000007
【図６】
2015123264.tif 000008
【図７】
2015123264.tif 000009
【図８】
2015123264.tif 000010
【図９】
2015123264.tif 000011
【図１０】
2015123264.tif 000012
【図１１】
2015123264.tif 000013
【図１２】
2015123264.tif 000014
【図１３】
2015123264.tif 000015
【図１４】
2015123264.tif 000016
【図１５】
2015123264.tif 000017
【図１６】
2015123264.tif 000018
【図１７】
2015123264.tif 000019
【図１８】
2015123264.tif 000020
【図１９】
2015123264.tif 000021